(57)【特許請求の範囲】
【請求項１】
信号伝送方法であって、
端末装置がネットワーク装置から送信された第１設定情報を受信するステップと、
前記端末装置が前記第１設定情報に基づいて、第１時間領域リソース及び前記第１時間領域リソースに対応する第１時間領域粒度を決定するステップと、
前記端末装置が前記第１時間領域リソースにおいて、前記第１時間領域粒度を周期としてダウンリンク制御チャネルを検索するステップと、を含み、
前記方法は、
前記端末装置がネットワーク装置から送信された設定情報を受信していない場合、前記端末装置が事前定義された第３設定情報に基づいて、第３時間領域リソース及び前記第３時間領域リソースに対応する第３時間領域粒度を決定するステップと、
前記端末装置が前記第３時間領域リソースにおいて、前記第３時間領域粒度を周期として、ダウンリンク制御チャネルを検索するステップと、をさらに含み、
前記第３設定情報は、周波数帯、搬送波、システム帯域幅及びベースパラメータセットのうちの少なくとも１つに基づいて決定されることを特徴とする信号伝送方法。
【請求項２】
前記端末装置がネットワーク装置から送信された第１設定情報を受信するステップは、  前記端末装置が、前記ネットワーク装置が上位層シグナリングを介して送信した前記第１設定情報を受信することを含むことを特徴とする請求項１に記載の方法。
【請求項３】
前記方法は、
前記端末装置が前記ネットワーク装置から送信された第２設定情報を受信するステップと、
前記端末装置が前記第２設定情報に基づいて、前記第１時間領域リソース内の第２時間領域リソース、及び前記第２時間領域リソースに対応する第２時間領域粒度を決定するステップと、
前記端末装置が前記第２時間領域リソースにおいて、前記第２時間領域粒度を周期としてダウンリンク制御チャネルを検索するステップと、をさらに含むことを特徴とする請求項２に記載の方法。
【請求項４】
前記端末装置が前記ネットワーク装置から送信された第２設定情報を受信するステップは、
前記端末装置が、前記ネットワーク装置がダウンリンク制御情報ＤＣＩを介して送信した前記第２設定情報を受信することを含むことを特徴とする請求項３に記載の方法。
【請求項５】
前記第１時間領域リソースは、
前記第１時間領域リソースの開始位置、終了位置及び時間領域長さのうちの少なくとも１つにより示されることを特徴とする請求項１〜４のいずれか１項に記載の方法。
【請求項６】
前記第１時間領域リソースの開始位置又は終了位置は、
同期信号又はブロードキャストチャネルの時間領域位置、又はタイムスロット境界、又はサブフレーム境界に対する時間領域オフセットのうちの１つにより示され、
前記時間領域オフセットは、少なくとも１つのシンボル、又は所定数のシンボル、又はタイムスロット、又はミニタイムスロットを単位とすることを特徴とする請求項１〜５のいずれか１項に記載の方法。
【請求項７】
前記第１時間領域粒度は、少なくとも１つのシンボル、又は所定数のシンボル、又はタイムスロット、又はミニタイムスロットを単位とすることを特徴とする請求項１〜６のいずれか１項に記載の方法。
【請求項８】
ネットワーク装置であって、
第１設定情報を決定することに用いられ、前記第１設定情報は第１時間領域リソース及び前記第１時間領域リソースに対応する第１時間領域粒度を指示することに用いられ、前記第１時間領域リソース及び前記第１時間領域粒度は端末装置が前記第１時間領域リソースにおいて、前記第１時間領域粒度を周期としてダウンリンク制御チャネルを検索することに用いられる決定モジュールと、
前記端末装置に前記第１設定情報を送信することに用いられる通信モジュールと、を備え、
前記決定モジュールはさらに、
事前定義された第３設定情報に基づいて、第３時間領域リソース及び前記第３時間領域リソースに対応する第３時間領域粒度を決定することに用いられ、
前記通信モジュールはさらに、
前記第３時間領域リソース及び前記第３時間領域粒度に基づいて、ダウンリンク制御チャネルを送信することに用いられ、
前記第３設定情報は、周波数帯、搬送波、システム帯域幅及びベースパラメータセットのうちの少なくとも１つに基づいて決定されることを特徴とするネットワーク装置。
【請求項９】
前記通信モジュールはさらに、
前記端末装置に第２設定情報を送信することに用いられ、前記第２設定情報は、前記第１時間領域リソース内の第２時間領域リソース、及び前記第２時間領域リソースに対応する第２時間領域粒度を指示することに用いられ、前記第２時間領域リソース及び前記第２時間領域粒度は、前記端末装置が前記第２時間領域リソースにおいて、前記第２時間領域粒度を周期としてダウンリンク制御チャネルを検索することに用いられることを特徴とする請求項８に記載のネットワーク装置。
【請求項１０】
前記第１設定情報は、前記第１時間領域リソースの開始位置、終了位置及び時間領域長さのうちの少なくとも１つを含むことを特徴とする請求項８又は９に記載のネットワーク装置。
【請求項１１】
端末装置であって、
ネットワーク装置から送信された第１設定情報を受信することに用いられる通信モジュールと、
前記第１設定情報に基づいて、第１時間領域リソース及び前記第１時間領域リソースに対応する第１時間領域粒度を決定することに用いられる決定モジュールと、を備え、
前記通信モジュールはさらに、前記第１時間領域リソースにおいて、前記第１時間領域粒度を周期としてダウンリンク制御チャネルを検索することに用いられ、
前記決定モジュールはさらに、
前記端末装置がネットワーク装置から送信された設定情報を受信していない場合、事前定義された第３設定情報に基づいて、第３時間領域リソース及び前記第３時間領域リソースに対応する第３時間領域粒度を決定することに用いられ、
前記通信モジュールはさらに、
前記第３時間領域リソースにおいて、前記第３時間領域粒度を周期として、ダウンリンク制御チャネルを検索することに用いられ、
前記第３設定情報は、
周波数帯、搬送波、システム帯域幅及びベースパラメータセットのうちの少なくとも１つに基づいて決定されることを特徴とする端末装置。
【請求項１２】
前記通信モジュールは具体的に、
前記ネットワーク装置が上位層シグナリングを介して送信した前記第１設定情報を受信することに用いられることを特徴とする請求項１１に記載の端末装置。
【請求項１３】
前記通信モジュールはさらに、
前記ネットワーク装置から送信された第２設定情報を受信することに用いられ、
前記決定モジュールはさらに、
前記第２設定情報に基づいて、前記第１時間領域リソース内の第２時間領域リソース、及び前記第２時間領域リソースに対応する第２時間領域粒度を決定することに用いられ、  前記通信モジュールはさらに、
前記第２時間領域リソースにおいて、前記第２時間領域粒度を周期としてダウンリンク制御チャネルを検索することに用いられることを特徴とする請求項１２に記載の端末装置。
【請求項１４】
前記通信モジュールはさらに、
前記ネットワーク装置がダウンリンク制御情報ＤＣＩを介して送信した前記第２設定情報を受信することに用いられることを特徴とする請求項１３に記載の端末装置。
【請求項１５】
前記第１時間領域リソースは、
前記第１時間領域リソースの開始位置、終了位置及び時間領域長さのうちの少なくとも１つにより示されることを特徴とする請求項１１〜１４のいずれか１項に記載の端末装置。
【請求項１６】
前記第１時間領域リソースの開始位置又は終了位置は、
同期信号又はブロードキャストチャネルの時間領域位置、又はタイムスロット境界、又はサブフレーム境界に対する時間領域オフセットのうちの１つにより示され、
前記時間領域オフセットは、少なくとも１つのシンボル、又は所定数のシンボル、又はタイムスロット、又はミニタイムスロットを単位とすることを特徴とする請求項１１〜１５のいずれか１項に記載の端末装置。
【請求項１７】
前記第１時間領域粒度は、少なくとも１つのシンボル、又は所定数のシンボル、又はタイムスロット、又はミニタイムスロットを単位とすることを特徴とする請求項１１〜１６のいずれか１項に記載の端末装置。
【発明の詳細な説明】
【技術分野】
【０００１】
本願は通信分野に関し、具体的には、信号伝送方法、ネットワーク装置及び端末装置に関する。
【背景技術】
【０００２】
ロングタームエボリューション（ＬＴＥ、Ｌｏｎｇ  Ｔｅｒｍ  Ｅｖｏｌｕｔｉｏｎ）システムでは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）の時間領域位置は固定されており、各サブフレームの先頭のいくつかのシンボルに位置し、端末装置はこれらのシンボル内でブラインド検出を行うだけでＰＤＣＣＨを受信することができる。
【０００３】
現在の５Ｇ新無線（ＮＲ、Ｎｅｗ  Ｒａｄｉｏ）システムの研究では、ネットワークのリソース割り当ての柔軟性を向上させ又はＰＤＣＣＨの受信遅延を低下させるために、ＰＤＣＣＨの時間領域位置の柔軟性を大幅に向上させ、ネットワーク装置は、シンボルずつにＰＤＣＣＨを検索するように端末装置を設定することができる。
【０００４】
そうすると、端末装置はすべてのシンボルでＰＤＣＣＨに対してブラインド検出を行う必要があり、そのため、端末がＰＤＣＣＨをブラインド検出する複雑さ及び消費電力が増加する。
【発明の概要】
【発明が解決しようとする課題】
【０００５】
本願の実施例は信号伝送方法、ネットワーク装置及び端末装置を提供し、端末がＰＤＣＣＨをブラインド検出する複雑さ及び消費電力を低下させることができる。
【課題を解決するための手段】
【０００６】
第１の態様は信号伝送方法を提供する。前記信号伝送方法は、ネットワーク装置が第１設定情報を決定し、前記第１設定情報は第１時間領域リソース及び前記第１時間領域リソースに対応する第１時間領域粒度を指示することに用いられ、前記第１時間領域リソース及び前記第１時間領域粒度は端末装置が前記第１時間領域リソースにおいて、前記第１時間領域粒度を周期としてダウンリンク制御チャネルを検索することに用いられるステップと、前記ネットワーク装置が前記端末装置に前記第１設定情報を送信するステップと、を含むことを特徴とする。
【０００７】
選択肢として、前記ネットワーク装置は伝送対象サービスの遅延要求に応じて前記第１設定情報を決定してもよい。例えば、将来の所定期間に非常に低遅延のサービスを伝送する必要がない場合、前記ネットワーク装置は、前記第１設定情報が指示する前記第１時間領域粒度よりも大きなＰＤＣＣＨ検索粒度を設定することができ、そうすると、前記端末装置はＰＤＣＣＨをあまりにも頻繁に検索する必要がなく、それにより、端末装置がＰＤＣＣＨを検索する複雑さ及び消費電力を低下させることができる。又は、伝送対象サービスが低遅延サービスである場合、前記ネットワーク装置は、前記第１設定情報が指示する前記第１時間領域粒度よりも小さなＰＤＣＣＨ検索粒度を設定することができ、それにより、前記端末装置がＰＤＣＣＨを検索する頻度を向上させることができ、それによって、データチャネルのスケジューリング遅延を低下させることができる。
【０００８】
第１の態様を参照すると、第１の態様のいくつかの実施形態において、前記ネットワーク装置が前記端末装置に第１設定情報を送信するステップは、前記ネットワーク装置が上位層シグナリングを介して前記端末装置に前記第１設定情報を送信することを含む。
【０００９】
前記上位層シグナリングは無線リソース制御（ＲＲＣ、Ｒａｄｉｏ  Ｒｅｓｏｕｒｃｅ  Ｃｏｎｔｒｏｌ）シグナリングであってもよい。つまり、前記ネットワーク装置は、上位層シグナリングを介して前記端末装置に前記第１設定情報を半静的に設定することができる。そうすると、ネットワーク装置が上位層シグナリングを介して他の設定情報を送信していない場合、前記端末装置はデフォルトで前記第１設定情報に基づいてＰＤＣＣＨを検索し続けることができ、即ち、前記第１時間領域リソースにおいて、前記第１時間領域粒度を周期としてＰＤＣＣＨを検索する。
【００１０】
選択肢として、本願の実施例では、前記ネットワーク装置は、ダウンリンク制御情報（ＤＣＩ、Ｄｏｗｎｌｉｎｋ  Ｃｏｎｔｒｏｌ  Ｉｎｆｏｒｍａｔｉｏｎ）を介して前記端末装置に前記第１設定情報を設定してもよく、即ち、前記ネットワーク装置はＤＣＩを介して前記端末装置に前記第１設定情報を動的に設定することができる。そうすると、前記ネットワーク装置は、ＤＣＩを介して端末装置がＰＤＣＣＨを検索する領域及び頻度を動的に調整することができる。
【００１１】
第１の態様を参照すると、第１の態様のいくつかの実施形態において、前記方法は、前記ネットワーク装置が前記端末装置に第２設定情報を送信し、前記第２設定情報は、前記第１時間領域リソース内の第２時間領域リソース、及び前記第２時間領域リソースに対応する第２時間領域粒度を指示することに用いられ、前記第２時間領域リソース及び前記第２時間領域粒度は、前記端末装置が前記第２時間領域リソースにおいて、前記第２時間領域粒度を周期としてダウンリンク制御チャネルを検索することに用いられるステップをさらに含む。
【００１２】
第１の態様を参照すると、第１の態様のいくつかの実施形態において、前記ネットワーク装置が前記端末装置に第２設定情報を送信するステップは、前記ネットワーク装置がダウンリンク制御情報ＤＣＩを介して前記端末装置に前記第２設定情報を送信することを含む。
【００１３】
第１の態様を参照すると、第１の態様のいくつかの実施形態において、前記第１設定情報は、前記第１時間領域リソースの開始位置、終了位置及び時間領域長さのうちの少なくとも１つを含む。
【００１４】
例えば、前記第１時間領域リソースの開始位置は事前定義されたものであってもよく、又はデフォルト値であってもよく、そうすると、前記第１時間領域リソースの位置情報は前記第１時間領域リソースの終了位置又は時間領域長さのうちの少なくとも１つを含めばよく、又は、前記第１時間領域リソースの時間領域長さは事前定義されたものであってもよく、又はデフォルト値であってもよく、そうすると、前記第１時間領域リソースの位置情報は前記第１時間領域リソースの開始位置及び終了位置のうちの少なくとも１つを含む。
【００１５】
又は、前記第１時間領域リソースの位置情報は、前記第１時間領域リソースの開始位置、終了位置及び時間領域長さのうちの少なくとも２つを含んでもよく、本願の実施例は前記第１時間領域リソースの示される方式を限定しない。
【００１６】
第１の態様を参照すると、第１の態様のいくつかの実施形態において、前記第１時間領域リソースの開始位置又は終了位置は、同期信号又はブロードキャストチャネルの時間領域位置、又はタイムスロット境界、又はサブフレーム境界に対する時間領域オフセットのうちの１つにより示される。
【００１７】
なお、上記タイムスロット境界は、あるタイムスロットの開始境界又は終了境界であってもよく、又はあるタイムスロットの開始のいくつかのシンボル又は終了のいくつかのシンボルであってもよく、類似的に、サブフレーム境界は、あるサブフレームの開始境界又は終了境界であってもよく、又はあるサブフレームの開始のいくつかのシンボル又は終了のいくつかのシンボル等であってもよく、本願の実施例はタイムスロット境界又はサブフレーム境界の具体的な位置を限定しない。
【００１８】
第１の態様を参照すると、第１の態様のいくつかの実施形態において、前記時間領域オフセットは、少なくとも１つのシンボル、又は所定数のシンボル、又はタイムスロット、又はミニタイムスロットを単位とする。
【００１９】
理解すべきなのは、本明細書に挙げられる時間領域オフセットの単位は例示的なものに過ぎず、本願を限定するものではなく、本願は将来の標準に新しい時間単位が現れ、それを前記時間領域オフセットの単位とする可能性を排除しない。
【００２０】
第１の態様を参照すると、第１の態様のいくつかの実施形態において、前記第１時間領域粒度は、少なくとも１つのシンボル、又は所定数のシンボル、又はタイムスロット、又はミニタイムスロットを単位とする。
【００２１】
理解すべきなのは、本明細書に挙げられる第１時間領域粒度の単位は例示的なものに過ぎず、本願を限定するものではなく、本願は将来の標準に新しし時間単位が現れ、それを前記第１時間領域粒度の単位とする可能性を排除しない。
【００２２】
第１の態様を参照すると、第１の態様のいくつかの実施形態において、前記方法は、前記ネットワーク装置が事前定義された第３設定情報に基づいて、第３時間領域リソース及び前記第３時間領域リソースに対応する第３時間領域粒度を決定するステップと、前記ネットワーク装置が前記第３時間領域リソース及び前記第３時間領域粒度に基づいて、ダウンリンク制御チャネルを送信するステップと、をさらに含む。
【００２３】
第１の態様を参照すると、第１の態様のいくつかの実施形態において、前記第３設定情報は、周波数帯、搬送波、システム帯域幅及びベースパラメータセットのうちの少なくとも１つに基づいて決定される。
【００２４】
つまり、前記第３設定情報は、周波数帯、又は搬送波、又はシステム帯域幅又はベースパラメータセットのうちの少なくとも１つの違いによって異なってもよい。
【００２５】
第２の態様は信号伝送方法を提供する。前記信号伝送方法は、端末装置がネットワーク装置から送信された第１設定情報を受信するステップと、前記端末装置が前記第１設定情報に基づいて、第１時間領域リソース及び前記第１時間領域リソースに対応する第１時間領域粒度を決定するステップと、前記端末装置が前記第１時間領域リソースにおいて、前記第１時間領域粒度を周期としてダウンリンク制御チャネルを検索するステップと、を含む。
【００２６】
第２の態様を参照すると、第２の態様のいくつかの実施形態において、前記端末装置がネットワーク装置から送信された第１設定情報を受信するステップは、前記端末装置が、前記ネットワーク装置が上位層シグナリングを介して送信した前記第１設定情報を受信することを含む。
【００２７】
第２の態様を参照すると、第２の態様のいくつかの実施形態において、前記方法は、前記端末装置が前記ネットワーク装置から送信された第２設定情報を受信するステップと、前記端末装置が前記第２設定情報に基づいて、前記第１時間領域リソース内の第２時間領域リソース、及び前記第２時間領域リソースに対応する第２時間領域粒度を決定するステップと、前記端末装置が前記第２時間領域リソースにおいて、前記第２時間領域粒度を周期としてダウンリンク制御チャネルを検索するステップと、をさらに含む。
【００２８】
第２の態様を参照すると、第２の態様のいくつかの実施形態において、前記端末装置が前記ネットワーク装置から送信された第２設定情報を受信するステップは、前記端末装置が、前記ネットワーク装置がダウンリンク制御情報ＤＣＩを介して送信した前記第２設定情報を受信することを含む。
【００２９】
第２の態様を参照すると、第２の態様のいくつかの実施形態において、前記方法は、前記端末装置がネットワーク装置から送信された設定情報を受信していない場合、前記端末装置が事前定義された第３設定情報に基づいて、第３時間領域リソース及び前記第３時間領域リソースに対応する第３時間領域粒度を決定するステップと、前記端末装置が前記第３時間領域リソースにおいて、前記第３時間領域粒度を周期として、ダウンリンク制御チャネルを検索するステップと、をさらに含む。
【００３０】
第２の態様を参照すると、第２の態様のいくつかの実施形態において、前記第３設定情報は、周波数帯、搬送波、システム帯域幅及びベースパラメータセットのうちの少なくとも１つに基づいて決定される。
【００３１】
第２の態様を参照すると、第２の態様のいくつかの実施形態において、前記第１時間領域リソースは、前記第１時間領域リソースの開始位置、終了位置及び時間領域長さのうちの少なくとも１つにより示される。
【００３２】
第２の態様を参照すると、第２の態様のいくつかの実施形態において、前記第１時間領域リソースの開始位置又は終了位置は、同期信号又はブロードキャストチャネルの時間領域位置、又はタイムスロット境界、又はサブフレーム境界に対する時間領域オフセットのうちの１つにより示される。
【００３３】
第２の態様を参照すると、第２の態様のいくつかの実施形態において、前記時間領域オフセットは、少なくとも１つのシンボル、又は所定数のシンボル、又はタイムスロット、又はミニタイムスロットを単位とする。
【００３４】
第２の態様を参照すると、第２の態様のいくつかの実施形態において、前記第１時間領域粒度は、少なくとも１つのシンボル、又は所定数のシンボル、又はタイムスロット、又はミニタイムスロットを単位とする。
【００３５】
第３の態様は、第１の態様又はその様々な実施形態の方法を実行するためのユニットを備えるネットワーク装置を提供する。
【００３６】
第４の態様は、第２の態様又はその様々な実施形態の方法を実行するためのユニットを備える端末装置を提供する。
【００３７】
第５の態様はネットワーク装置を提供する。前記ネットワーク装置は、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機に基づき第１の態様又はその様々な実施形態の方法を実行する。
【００３８】
第６の態様は端末装置を提供する。前記端末装置は、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機に基づき第２の態様又はその様々な実施形態の方法を実行する。
【００３９】
第７の態様はコンピュータ可読媒体を提供し、前記コンピュータ可読媒体はネットワーク装置が実行するプログラムコードを記憶し、前記プログラムコードは第１の態様又はその様々な実施形態の方法を実行するための命令を含む。
【００４０】
第８の態様はコンピュータ可読媒体を提供し、前記コンピュータ可読媒体は端末装置が実行するプログラムコードを記憶し、前記プログラムコードは第２の態様又はその様々な実施形態の方法を実行するための命令を含む。
【図面の簡単な説明】
【００４１】
【図１】図１は本願の実施例に係る無線通信システムの模式図である。
【図２】図２は本願の実施例に係る信号伝送方法の模式的なフローチャートである。
【図３】図３は本願の実施例に係る信号伝送方法の一例の模式図である。
【図４】図４は本願の実施例に係る信号伝送方法の別の例の模式図である。
【図５】図５は本願の実施例に係る信号伝送方法のさらに別の例の模式図である。
【図６】図６は本願の実施例に係る信号伝送方法のさらに別の例の模式図である。
【図７】図７は本願の別の実施例に係る信号伝送方法の模式的なフローチャートである。
【図８】図８は本願の実施例に係るネットワーク装置の模式的なブロック図である。
【図９】図９は本願の実施例に係る端末装置の模式的なブロック図である。
【図１０】図１０は本願の別の実施例に係るネットワーク装置の模式的なブロック図である。
【図１１】図１１は本願の別の実施例に係る端末装置の模式的なブロック図である。
【発明を実施するための形態】
【００４２】
以下、図面を参照しながら、本願の実施例の技術案を説明する。
【００４３】
本願の実施例の技術案は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等の様々な通信システムに適用できる。
【００４４】
図１は本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地域に通信カバレッジを提供できるとともに、該カバレッジ領域内に位置する端末装置（例えばＵＥ）と通信できる。選択肢として、該ネットワーク装置１１０は、ＧＳＭシステム又はＣＤＭＡシステムの基地局（ＢＴＳ、Ｂａｓｅ  Ｔｒａｎｓｃｅｉｖｅｒ  Ｓｔａｔｉｏｎ）であってもよく、ＷＣＤＭＡシステムの基地局（ＮＢ、ＮｏｄｅＢ）であってもよく、さらにＬＴＥシステムの進化型基地局（ｅＮＢ又はｅＮｏｄｅＢ、Ｅｖｏｌｕｔｉｏｎａｌ  Ｎｏｄｅ  Ｂ）、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）内の無線コントローラであってもよく、又は該ネットワーク装置は、中継局、アクセスポイント、車載装置、ウェアラブルデバイス、将来５Ｇネットワーク内のネットワーク側装置又は将来の進化型公衆陸上移動体ネットワーク（ＰＬＭＮ、Ｐｕｂｌｉｃ  Ｌａｎｄ  Ｍｏｂｉｌｅ  Ｎｅｔｗｏｒｋ）内のネットワーク装置等であってもよい。
【００４５】
該無線通信システム１００は、ネットワーク装置１１０のカバレッジ領域内に位置する少なくとも１つの端末装置１２０をさらに備える。端末装置１２０は移動端末装置であっても、固定端末装置であってもよい。選択肢として、端末装置１２０は、アクセス端末、ユーザ機器（ＵＥ、Ｕｓｅｒ  Ｅｑｕｉｐｍｅｎｔ）、ユーザユニット、ユーザステーション、移動局、トラバーサー、遠方局、遠隔端末、移動装置、ユーザ端末、端末、無線通信装置、ユーザエージェント又はユーザ装置であってもよい。アクセス端末は、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、無線ローカルループ（Ｗｉｒｅｌｅｓｓ  Ｌｏｃａｌ  Ｌｏｏｐ、ＷＬＬ）ステーション、携帯情報端末（ＰＤＡ、Ｐｅｒｓｏｎａｌ  Ｄｉｇｉｔａｌ  Ａｓｓｉｓｔａｎｔ）、無線通信機能を有するハンドヘルドデバイス、コンピューティングデバイス又は無線モデムに接続された他の処理装置、車載装置、ウェアラブルデバイス、将来５Ｇネットワーク内の端末装置又は将来の進化型ＰＬＭＮ内の端末装置等であってもよい。
【００４６】
尚、５Ｇシステム又はネットワークは、新無線（ＮＲ、Ｎｅｗ  Ｒａｄｉｏ）システム又はネットワークとも呼ばれる。
【００４７】
図２は本願の実施例に係る信号伝送方法の模式的なフローチャートであり、図２に示すように、該方法２００は、以下のＳ２１０とＳ２２０とを含む。
【００４８】
Ｓ２１０では、ネットワーク装置が第１設定情報を決定し、前記第１設定情報は第１時間領域リソース及び前記第１時間領域リソースに対応する第１時間領域粒度を指示することに用いられ、前記第１時間領域リソース及び前記第１時間領域粒度は端末装置が前記第１時間領域リソースにおいて、前記第１時間領域粒度を周期としてダウンリンク制御チャネルを検索することに用いられる。
【００４９】
Ｓ２２０では、前記ネットワーク装置が前記端末装置に前記第１設定情報を送信する。
【００５０】
具体的には、ネットワーク装置が第１設定情報を決定し、前記第１設定情報は第１時間領域リソース及び前記第１時間領域リソースに対応する第１時間領域粒度を指示することに用いられ、前記ネットワーク装置が端末装置に前記第１設定情報を送信し、それにより、前記端末装置は、前記第１設定情報に基づいて、第１時間領域リソース及び前記第１時間領域リソースに対応する第１時間領域粒度を決定することができ、それによって、前記端末装置は、前記第１時間領域リソースにおいて、前記第１時間領域粒度を周期としてダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を検索することができ、又は前記第１時間領域粒度の時間領域長さごとにダウンリンク制御チャネルを１回検索し、即ち、前記第１時間領域粒度を間隔としてダウンリンク制御チャネルを検索する。
【００５１】
選択肢として、前記ネットワーク装置は伝送対象サービスの遅延要求に応じて前記第１設定情報を決定してもよい。例えば、将来の所定期間に非常に低遅延のサービスを伝送する必要がない場合、前記ネットワーク装置は、前記第１設定情報が指示する前記第１時間領域粒度よりも大きなＰＤＣＣＨ検索粒度を設定することができ、そうすると、前記端末装置はＰＤＣＣＨをあまりにも頻繁に検索する必要がなく、それにより、端末装置がＰＤＣＣＨを検索する複雑さ及び消費電力を低下させることができる。又は、伝送対象サービスが低遅延サービスである場合、前記ネットワーク装置は、前記第１設定情報が指示する前記第１時間領域粒度よりも小さなＰＤＣＣＨ検索粒度を設定することができ、それにより、前記端末装置がＰＤＣＣＨを検索する頻度を向上させることができ、それによって、データチャネルのスケジューリング遅延を低下させることができる。
【００５２】
選択肢として、本願の実施例では、前記第１設定情報は、前記第１時間領域リソースの位置情報及び前記第１時間領域リソースに対応する第１時間領域粒度の情報を含み、前記第１時間領域リソースの位置情報は、前記端末装置がＰＤＣＣＨを検索する領域情報を指示することに用いられ、前記第１時間領域粒度の情報は、前記端末装置がＰＤＣＣＨを検索する頻度情報、即ち、ＰＤＣＣＨを１回検索する時間間隔を指示することに用いられる。
【００５３】
前記第１時間領域リソースの位置情報は、前記第１時間領域リソースの開始位置、終了位置及び時間領域長さのうちの少なくとも１つを含んでもよい。
【００５４】
例えば、前記第１時間領域リソースの開始位置は事前定義されたものであってもよく、又はデフォルト値であってもよく、そうすると、前記第１時間領域リソースの位置情報は前記第１時間領域リソースの終了位置又は時間領域長さのうちの少なくとも１つを含めば、前記端末装置がＰＤＣＣＨを検索する領域を決定することができ、又は、前記第１時間領域リソースの時間領域長さは事前定義されたものであってもよく、又はデフォルト値であってもよく、そうすると、前記第１時間領域リソースの位置情報は前記第１時間領域リソースの開始位置及び終了位置のうちの少なくとも１つを含めば、前記端末装置がＰＤＣＣＨを検索する領域を決定することができ、又は、前記第１時間領域リソースの位置情報は、前記第１時間領域リソースの開始位置、終了位置及び時間領域長さのうちの少なくとも２つを含んでもよく、つまり、前記第１時間領域リソースの開始位置及び終了位置、又は開始位置及び時間領域長さ、又は終了位置及び時間領域長さによって前記第１時間領域リソースを示すことができ、本願の実施例は前記第１時間領域リソースの示される方式を限定しない。
【００５５】
選択肢として、本願の実施例では、前記第１時間領域リソースの位置情報が前記第１時間領域の開始位置又は終了位置を含む場合、前記第１時間領域リソースの開始位置又は終了位置は、同期信号又は同期信号ブロック又はブロードキャストチャネルの時間領域位置、又はタイムスロット境界、又はサブフレーム境界に対する時間領域オフセットにより示されてもよい。
【００５６】
つまり、前記第１時間領域リソースの開始位置は、同期信号の時間領域位置に対する時間領域オフセット、又はブロードキャストチャネルの時間領域位置に対する時間領域オフセット、又はあるタイムスロットの境界位置に対する時間領域オフセット、又はあるサブフレームの境界位置に対する時間領域オフセットであってもよく、勿論、前記第１時間領域リソースの開始位置又は終了位置は他の信号を参照する時間領域オフセット、又はあるシンボルの境界位置に対する時間領域オフセット等であってもよく、本願の実施例は前記第１時間領域リソースの開始位置及び終了位置の示される方式を限定しない。
【００５７】
理解すべきなのは、以上の前記第１時間領域リソースの開始位置又は終了位置の説明は例示的なものに過ぎず、本願を限定するものではなく、本願は、将来の標準に前記第１時間領域リソースの開始位置又は終了位置とすることができる時間領域オフセットの他の参照信号が現れる可能性を排除しない。
【００５８】
なお、上記タイムスロット境界は、あるタイムスロットの開始境界又は終了境界であってもよく、又はあるタイムスロットの開始のいくつかのシンボル又は終了のいくつかのシンボルであってもよく、類似的に、サブフレーム境界は、あるサブフレームの開始境界又は終了境界であってもよく、又はあるサブフレームの開始のいくつかのシンボル又は終了のいくつかのシンボル等であってもよく、本願の実施例はタイムスロット境界又はサブフレーム境界の具体的な位置を限定しない。
【００５９】
選択肢として、本願の実施例では、前記時間領域オフセットは、少なくとも１つのシンボル、又は所定数のシンボル、又はタイムスロット、又はミニタイムスロットを単位とする。
【００６０】
理解すべきなのは、本明細書に挙げられる時間領域オフセットの単位は例示的なものに過ぎず、本願を限定するものではなく、本願は将来の標準に新しい時間単位が現れ、それを前記時間領域オフセットの単位とする可能性を排除しない。
【００６１】
選択肢として、本願の実施例では、前記第１時間領域粒度は、少なくとも１つのシンボル、又は所定数のシンボル、又はタイムスロット、又はミニタイムスロットを単位とする。
【００６２】
つまり、前記端末装置は、所定数のシンボルを間隔としてダウンリンク制御チャネルを検索してもよく、又は複数のタイムスロットを間隔としてダウンリンク制御チャネルを検索してもよく、又は複数のミニタイムスロットを間隔としてダウンリンク制御チャネルを検索してもよい。
【００６３】
理解すべきなのは、本明細書に挙げられる第１時間領域粒度の単位は例示的なものに過ぎず、本願を限定するものではなく、本願は将来の標準に新しし時間単位が現れ、それを前記第１時間領域粒度の単位とする可能性を排除しない。
【００６４】
本願の実施例では、前記第１設定情報は、前記第１時間領域リソースにおいて、第１時間領域粒度を周期としてＰＤＣＣＨを検索することを前記端末装置に指示することに用いられ、それに対応して、前記ネットワーク装置は、前記第１時間領域リソースのうちの一部又は全部リソースにおいて、前記第１時間領域粒度又は前記第１時間領域粒度の倍数を周期としてＰＤＣＣＨを送信する。つまり、端末装置がＰＤＣＣＨを検索する時間領域リソースはネットワーク装置がＰＤＣＣＨを送信する時間領域リソース以上であり、そうすると、端末装置がネットワーク装置から送信されたＰＤＣＣＨを検索できることを確保することができる。
【００６５】
選択肢として、一実施例として、Ｓ２２０は、
前記ネットワーク装置が上位層シグナリングを介して前記端末装置に前記第１設定情報を送信することをさらに含んでもよい。
【００６６】
具体的には、前記上位層シグナリングは無線リソース制御（ＲＲＣ、Ｒａｄｉｏ  Ｒｅｓｏｕｒｃｅ  Ｃｏｎｔｒｏｌ）シグナリングであってもよい。つまり、前記ネットワーク装置は、上位層シグナリングを介して前記端末装置に前記第１設定情報を半静的に設定することができる。そうすると、ネットワーク装置が上位層シグナリングを介して他の設定情報を送信していない場合、前記端末装置はデフォルトで前記第１設定情報に基づいてＰＤＣＣＨを検索し続けることができ、即ち、前記第１時間領域リソースにおいて、前記第１時間領域粒度を周期としてＰＤＣＣＨを検索する。
【００６７】
ネットワーク装置は、半静的方式で設定した前記第１設定情報を変更しようとする場合、上位層シグナリングを介して端末装置に第２設定情報を送信することができ、それにより、端末装置は、第２設定情報に基づいて、第２時間領域リソース及び第２時間領域粒度を決定し、そして前記第２時間領域リソース及び前記第２時間領域粒度に基づいてダウンリンク制御チャネルを検索することができる。
【００６８】
選択肢として、本願の実施例では、前記ネットワーク装置は、ダウンリンク制御情報（ＤＣＩ、Ｄｏｗｎｌｉｎｋ  Ｃｏｎｔｒｏｌ  Ｉｎｆｏｒｍａｔｉｏｎ）を介して前記端末装置に前記第１設定情報を設定してもよく、即ち、前記ネットワーク装置はＤＣＩを介して前記端末装置に前記第１設定情報を動的に設定することができる。そうすると、前記ネットワーク装置は、ＤＣＩを介して端末装置がＰＤＣＣＨを検索する領域及び頻度を動的に調整することができる。
【００６９】
例えば、前記ネットワーク装置は伝送対象サービスの遅延要求に応じて、端末装置がＰＤＣＣＨを検索する領域及び頻度を動的に調整することができ、例えば、将来の所定期間に非常に低遅延のサービスを伝送する必要がない場合、前記ネットワーク装置は端末装置がＰＤＣＣＨを検索する頻度を低下させることができ、例えば、前記第１時間領域粒度を大きくすることにより、端末装置がＰＤＣＣＨを検索する複雑さ及び消費電力を低下させることができ、又は前記ネットワーク装置は低遅延サービスを伝送する必要があると決定した場合、データチャネルのスケジューリング遅延を低下させる必要があり、この状況で、前記ネットワーク装置は端末装置がＰＤＣＣＨを検索する頻度を向上させることができ、例えば、前記第１時間領域粒度を小さくすることにより、データチャネルのスケジューリング遅延を低下させる。
【００７０】
選択肢として、いくつかの実施例では、前記方法２００は、
前記ネットワーク装置が前記端末装置に第２設定情報を送信し、前記第２設定情報は、前記第１時間領域リソース内の第２時間領域リソース、及び前記第２時間領域リソースに対応する第２時間領域粒度を指示することに用いられ、前記第２時間領域リソース及び前記第２時間領域粒度は、前記端末装置が前記第２時間領域リソースにおいて、前記第２時間領域粒度を周期としてダウンリンク制御チャネルを検索することに用いられるステップをさらに含んでもよい。
【００７１】
具体的には、ネットワーク装置が端末装置に第１設定情報を設定する場合、前記端末装置は前記第１設定情報に基づいて、ＰＤＣＣＨを検索することができ、即ち、前記第１時間領域リソース内で、第１時間領域粒度を周期としてＰＤＣＣＨを検索する。前記ネットワーク装置が、将来の所定期間内に、前記端末装置がＰＤＣＣＨを頻繁に検索する必要がなく、即ち、端末装置がＰＤＣＣＨを検索する頻度を低下させる必要があると決定した場合、又は、将来の所定期間内に、前記端末装置がＰＤＣＣＨをより頻繁に検索する必要があり、即ち、端末装置がＰＤＣＣＨを検索する頻度を向上させる必要があると決定した場合、前記ネットワーク装置はさらに端末装置に第２設定情報を送信してもよく、前記第２設定情報は、前記第１時間領域リソース内の第２時間領域リソース、及び前記第２時間領域リソースに対応する第２時間領域粒度を指示することに用いられ、そうすると、前記端末装置は前記第２設定情報に基づいて、前記第２時間領域リソース、及び前記第２時間領域粒度を決定し、前記第２時間領域リソース内で、第２時間領域粒度を周期としてＰＤＣＣＨを検索することができる。前記第２時間領域粒度は前記第１時間領域粒度より大きくてもよく、前記第１時間領域粒度より小さくてもよく、例えば、前記ネットワーク装置は低遅延サービスを伝送する必要があると決定した場合、端末装置がＰＤＣＣＨを検索する頻度を向上させ、この状況では、前記第２設定情報が指示する前記第２時間領域粒度は前記第１時間領域粒度より小さくてもよい。
【００７２】
好ましくは、前記第２時間領域リソースは前記第１時間領域リソース内の時間領域リソースであり、つまり、前記第２時間領域リソースは第１時間領域リソースの一部の時間領域リソースを含み、前記端末装置は前記第２時間領域リソースで第２時間領域粒度によってＰＤＣＣＨを検索し、前記第１時間領域リソースの前記第２時間領域リソース以外の他の時間領域リソースで、依然として前記第１時間領域粒度によってＰＤＣＣＨを検索することができる。
【００７３】
選択肢として、一実施例として、前記ネットワーク装置が前記端末装置に第２設定情報を送信するステップは、
前記ネットワーク装置がダウンリンク制御情報ＤＣＩを介して前記端末装置に前記第２設定情報を送信することを含む。
【００７４】
つまり、ネットワーク装置は、上位層シグナリングを介して前記第１設定情報を半静的に設定した上で、さらにＤＣＩを介して前記第１時間領域リソースのある時期内にＰＤＣＣＨを検索する頻度、即ち、第２時間領域リソースにおいてＰＤＣＣＨを検索する頻度を柔軟的に調整することもできる。
【００７５】
例えば、将来の所定期間に非常に低遅延のサービスを伝送する必要がない場合、端末装置がＰＤＣＣＨを検索する頻度を低下させることにより、端末装置の消費電力を低下させ、この状況で、前記ネットワーク装置は端末装置に第２設定情報を送信することができ、前記第２設定情報が指示する前記第２時間領域粒度は前記第１時間領域粒度より大きくてもよく、即ち、端末装置がＰＤＣＣＨを検索する頻度は低下する。
【００７６】
また例えば、前記ネットワーク装置は、低遅延サービスを伝送する必要がある場合、端末装置がＰＤＣＣＨを検索する頻度を向上させて、ＰＤＣＣＨの受信遅延を低下させる必要があると決定することができる。この状況で、前記ネットワーク装置は端末装置に第２設定情報を送信することができ、前記第２設定情報が指示する前記第２時間領域粒度は前記第１時間領域粒度より小さくてもよく、即ち、端末装置がＰＤＣＣＨを検索する頻度は向上する。
【００７７】
つまり、前記ネットワーク装置は、端末装置がＰＤＣＣＨを検索する領域及び頻度を半静的方式で設定した上で、さらにＤＣＩを介して端末装置がＰＤＣＣＨを検索する領域及び頻度を柔軟的に調整することもできる。
【００７８】
選択肢として、本願の実施例では、ネットワーク装置は端末装置に設定情報を送信しなくてもよく、この場合、前記ネットワーク装置は、事前定義された第３設定情報に基づいて、第３時間領域リソース、及び前記第３時間領域リソースに対応する第３時間領域粒度を決定し、それによって前記第３時間領域リソースの一部又は全部リソースにおいて、前記第３時間領域粒度又は前記第３時間領域粒度の倍数を周期として、ＰＤＣＣＨを送信することができる。
【００７９】
端末装置にとって、前記端末装置は、事前定義された第３設定情報に基づいて、第３時間領域リソース、及び前記第３時間領域リソースに対応する第３時間領域粒度を決定し、前記第３時間領域リソースにおいて、前記第３時間領域粒度を周期としてＰＤＣＣＨを検索することができる。
【００８０】
選択肢として、前記第３設定情報はプロトコルで約束された設定情報、又は標準で定義された設定情報であってもよく、デフォルト設定情報であってもよく、即ち、端末装置とネットワーク装置はシグナリング交換を行わずに、前記第３設定情報を取得できる。
【００８１】
前記端末装置は、前記第３時間領域リソースにおいて前記第３時間領域粒度を周期としてＰＤＣＣＨを検索する場合、ネットワーク装置から送信された設定情報を受信すると、ネットワーク装置から送信された設定情報に基づいて、対応する時間領域リソース及び時間領域粒度を決定し、それによりＰＤＣＣＨの検索を行い、例えば、前記端末装置は、前記第３時間領域リソースにおいて前記第３時間領域粒度を周期としてＰＤＣＣＨを検索する場合、ネットワーク装置から送信された第１設定情報を受信すると、前記第１設定情報に基づいて、第１時間領域リソース及び前記第１時間領域リソースに対応する第１時間領域粒度を決定し、前記第１時間領域リソースにおいて、前記第１時間領域粒度を周期としてＰＤＣＣＨを検索する。前記第３時間領域リソースの終了位置が前記第１時間領域リソースの終了位置より遅くてもよく、前記第１時間領域リソースの終了位置より早くてもよく、前記第３時間領域リソースの終了位置が前記第１時間領域リソースの終了位置より遅い場合、前記端末装置は、前記第３時間領域リソースの前記第１時間領域リソース以外の領域において、依然として前記第３時間領域粒度でＰＤＣＣＨを検索することができる。
【００８２】
つまり、ネットワーク装置から送信された設定情報の優先度は前記第３設定情報の優先度より高く、ネットワーク装置から送信された設定情報を受信していない場合、第３設定情報に基づいてＰＤＣＣＨを検索し、ネットワーク装置の設定情報を受信した場合、優先的にネットワーク装置から送信された設定情報に基づいて、ＰＤＣＣＨの検索を行う。
【００８３】
選択肢として、前記第３設定情報は、周波数帯、搬送波、システム帯域幅及びベースパラメータセットのうちの少なくとも１つに基づいて決定されてもよい。
【００８４】
例えば、異なる周波数帯が異なる第３設定情報に対応し、又は異なる搬送波が異なる第３設定情報に対応し、又は異なるベースパラメータセットが異なる第３設定情報等に対応してもよい。
【００８５】
以下、図３-図６の具体的な例を参照しながら、本願の実施例に係る信号伝送方法を説明し、図３-図６の例では、前記第１設定情報又は前記第２設定情報は時間領域リソースの時間領域長さ、時間領域リソースの開始位置及び時間領域リソースに対応する時間領域粒度を含み、時間領域リソースの開始位置は同期信号又はブロードキャストチャネルに対する時間領域オフセットにより示され、時間領域リソースに対応する時間領域粒度はシンボルを単位とする。
【００８６】
理解すべきなのは、図３-図６の時間領域リソースの示される方式は例示的なものに過ぎず、限定的なものではなく、時間領域リソースの位置情報は前述実施例における他の方式で示されてもよく、時間領域リソースの開始位置はタイムスロット境界又はサブフレーム境界に対する時間領域オフセットにより説明されてもよく、前記時間領域粒度は前述実施例における他の単位、例えば、複数のタイムスロット、又は複数のミニタイムスロット等を用いてもよい。
【００８７】
図３に示すように、前記第１設定情報は前記ネットワーク装置がＲＲＣシグナリングを介して前記端末装置に送信したものであり、前記第１設定情報は以下の３つの情報を含む。
【００８８】
１、第１時間領域リソースの時間領域長さであって、又はＰＤＣＣＨを含む領域の時間領域長さとも呼ばれ、即ち、どの領域内でＰＤＣＣＨを検索するかである。
【００８９】
２、第１時間領域リソースに対応する第１時間領域粒度であって、又はＰＤＣＣＨを含む領域内のＰＤＣＣＨの検索空間の時間領域粒度とも呼ばれ、即ち、端末装置がＰＤＣＣＨの検索空間を１回検索する時間間隔又は周期であり、つまり、ＰＤＣＣＨを含む領域内で、どんな頻度でＰＤＣＣＨの検索空間を検索するかである。
【００９０】
３、第１時間領域リソースの開始位置であって、つまり、ＰＤＣＣＨを含む領域の開始位置の、同期信号又は同期信号ブロック又はブロードキャストチャネルに対する時間領域オフセットである。
【００９１】
端末装置は前記第１設定情報を受信した後、前記第１設定情報に基づいて、第１時間領域リソースの開始位置、即ち、同期信号又は同期信号ブロック又はブロードキャストチャネルに対する時間領域オフセットの時間領域位置、及び対応する第１時間領域粒度、即ちＮ個のシンボルを決定することができ、それにより、前記端末装置は前記第１時間領域リソースの開始位置から、Ｎ個のシンボルおきにＰＤＣＣＨを１回検索し、つまり、Ｎ個のシンボルを周期としてＰＤＣＣＨを検索し、従って、本願の実施例の信号伝送方法は、ネットワーク装置が任意のシンボルでＰＤＣＣＨを検索するように端末装置を設定した場合、前記ネットワーク装置は、所定の時間領域範囲（即ち、第１時間領域リソース）内で、所定の頻度（即ち、第１時間領域粒度）でＰＤＣＣＨを検索するように端末装置を第１設定情報を介して設定することができ、従って、端末装置がＰＤＣＣＨを検索する複雑さ及び消費電力を低下させることができる。
【００９２】
図４及び図５に示す実施例では、前記端末装置は前記第１設定情報を受信した後、前記第１時間領域リソースにおいて第２設定情報をさらに受信し、前記第２設定情報はネットワーク装置がＤＣＩを介して送信したものであり、前記第２設定情報に含まれる内容は図３の前記第１設定情報に含まれる内容を参照でき、ここで繰り返し説明しない。
【００９３】
なお、図４及び図５に示す実施例では、前記第２時間領域リソースの位置情報は、前記同期信号、又は同期信号ブロック又はブロードキャストチャネルに対する時間領域オフセットにより示されてもよく、デフォルトでＤＣＩから開始であってもよく、即ち、ＤＣＩを受信した時刻が前記第２時間領域リソースの開始位置である。
【００９４】
端末装置は前記第２設定情報を受信した後、前記第２設定情報に基づいて、第２時間領域リソース、及び前記第２時間領域リソースに対応する第２時間領域粒度（Ｍ個のシンボル）を決定することができ、前記第２時間領域リソースにおいて、Ｍ個のシンボルおきにＰＤＣＣＨを１回検索する。
【００９５】
前記第２時間領域リソースが前記第１時間領域リソースの部分集合であるため、前記端末装置は、前記第１時間領域リソース内の前記第２時間領域リソース外に、依然としてＮ個のシンボルおきに、即ち、前記第１時間領域粒度でＰＤＣＣＨを検索することができる。
【００９６】
前記第２時間領域粒度は前記第１時間領域粒度より大きくてもよく、例えば、図４に示す実施例では、第２時間領域粒度は前記第１時間領域粒度より大きく、即ち、端末装置が第２時間領域リソースにおいてＰＤＣＣＨを検索する頻度は低下する。例えば、ネットワーク装置は、将来の所定期間内に、端末装置が前記第１時間領域粒度のような頻繁な頻度でＰＤＣＣＨを検索する必要がないと決定した場合、前記第２設定情報を介して、前記端末装置がＰＤＣＣＨを検索する頻度を改めて設定することができ、前記第２設定情報の第２時間領域粒度を前記第１時間領域粒度より大きく設定することにより、端末装置がＰＤＣＣＨを検索する頻度を低下させる。
【００９７】
又は、前記第２時間領域粒度は前記第１時間領域粒度より小さくてもよく、例えば、図５に示す実施例では、第２時間領域粒度は前記第１時間領域粒度より小さく、即ち、端末装置が第２時間領域リソースにおいてＰＤＣＣＨを検索する頻度は向上する。例えば、ネットワーク装置は、将来の所定期間内に、端末装置が前記第１時間領域粒度よりも頻繁な頻度でＰＤＣＣＨを検索する必要がある（例えば、低遅延サービスを伝送する必要がある）と決定した場合、前記第２設定情報を介して、前記端末装置がＰＤＣＣＨを検索する頻度を改めて設定することができ、前記第２設定情報の第２時間領域粒度を前記第１時間領域粒度より小さく設定することにより、端末装置がＰＤＣＣＨを検索する頻度を向上させる。つまり、前記ネットワーク装置はＤＣＩを介してＰＤＣＣＨの検索頻度を一時向上させて、低遅延サービスを効果的にサポートすることができる。
【００９８】
図６に示す実施例では、前記端末装置は、ネットワーク装置から送信された設定情報を受信していない場合、デフォルト又は事前定義された第３設定情報に基づいて、第３時間領域リソース、及び前記第３時間領域リソースに対応する第３時間領域粒度（Ｄ個のシンボル）を決定し、前記第３設定情報に含まれる内容は図３の前記第１設定情報に含まれる内容を参照でき、ここで繰り返し説明しない。
【００９９】
前記端末装置は、前記第３時間領域リソースにおいて、Ｄ個のシンボルおきにＰＤＣＣＨを１回検索する過程で、ネットワーク装置から送信された第２設定情報を受信し、この場合、前記端末装置は、前記第２設定情報に基づいて、第２時間領域リソース、及び前記第２時間領域リソースに対応する第２時間領域粒度（Ｍ個のシンボル）を決定し、それにより、前記第２時間領域リソースにおいて、Ｍ個のシンボルおきにＰＤＣＣＨを１回検索する。
【０１００】
前記第３時間領域リソースの終了位置は前記第２時間領域リソースの終了位置より遅くてもよく、前記第２時間領域リソースの終了位置より早くてもよく、前記第３時間領域リソースの終了位置が前記第２時間領域リソースの終了位置より遅い場合、前記端末装置は、前記第３時間領域リソースの前記第２時間領域リソース以外の領域において、依然として前記第３時間領域粒度でＰＤＣＣＨを検索することができる。即ち、前記第３時間領域リソース内の前記第２時間領域リソース外において、前記端末装置は依然としてＤ個のシンボルおきにＰＤＣＣＨを１回検索することができる。
【０１０１】
選択肢として、前記第２時間領域粒度は前記第３時間領域粒度より大きくてもよく、前記第３時間領域粒度より小さくてもよく、図６は第２時間領域粒度が前記第３時間領域粒度より小さいことのみを例として説明しているが、それは本願を限定するものではない。
【０１０２】
以上は、図２-図６を参照しながら、ネットワーク装置の観点から本願の実施例に係る信号伝送方法を詳細に説明したが、以下は、図７を参照しながら、端末装置の観点から本願の実施例に係る信号伝送方法を詳細に説明する。理解すべきなのは、端末装置側の説明はネットワーク装置側の説明に相互に対応し、類似する説明は上記を参照でき、重複を回避するために、ここで繰り返し説明しない。
【０１０３】
図７は本願の別の実施例に係る信号伝送方法の模式的なフローチャートであり、図７に示すように、前記方法７００は、
端末装置がネットワーク装置から送信された第１設定情報を受信するＳ７１０と、
前記端末装置が前記第１設定情報に基づいて、第１時間領域リソース及び前記第１時間領域リソースに対応する第１時間領域粒度を決定するＳ７２０と、
前記端末装置が前記第１時間領域リソースにおいて、前記第１時間領域粒度を周期としてダウンリンク制御チャネルを検索するＳ７３０と、を含む。
【０１０４】
選択肢として、いくつかの実施例では、前記端末装置がネットワーク装置から送信された第１設定情報を受信するステップは、
前記端末装置が、前記ネットワーク装置が上位層シグナリングを介して送信した前記第１設定情報を受信することを含む。
【０１０５】
選択肢として、いくつかの実施例では、前記方法は、
前記端末装置が前記ネットワーク装置から送信された第２設定情報を受信するステップと、
前記端末装置が前記第２設定情報に基づいて、前記第１時間領域リソース内の第２時間領域リソース、及び前記第２時間領域リソースに対応する第２時間領域粒度を決定するステップと、
前記端末装置が前記第２時間領域リソースにおいて、前記第２時間領域粒度を周期としてダウンリンク制御チャネルを検索するステップと、をさらに含む。
【０１０６】
選択肢として、いくつかの実施例では、前記端末装置が前記ネットワーク装置から送信された第２設定情報を受信するステップは、
前記端末装置が、前記ネットワーク装置がダウンリンク制御情報ＤＣＩを介して送信した前記第２設定情報を受信することを含む。
【０１０７】
選択肢として、いくつかの実施例では、前記方法は、
前記端末装置がネットワーク装置から送信された設定情報を受信していない場合、前記端末装置が事前定義された第３設定情報に基づいて、第３時間領域リソース及び前記第３時間領域リソースに対応する第３時間領域粒度を決定するステップと、
前記端末装置が前記第３時間領域リソースにおいて、前記第３時間領域粒度を周期として、ダウンリンク制御チャネルを検索するステップと、をさらに含む。
【０１０８】
選択肢として、いくつかの実施例では、前記第３設定情報は、
周波数帯、搬送波、システム帯域幅及びベースパラメータセットのうちの少なくとも１つに基づいて決定される。
【０１０９】
選択肢として、いくつかの実施例では、前記第１時間領域リソースは、
前記第１時間領域リソースの開始位置、終了位置及び時間領域長さのうちの少なくとも１つにより示される。
【０１１０】
選択肢として、いくつかの実施例では、前記第１時間領域リソースの開始位置又は終了位置は、
同期信号又はブロードキャストチャネルの時間領域位置、又はタイムスロット境界、又はサブフレーム境界に対する時間領域オフセットのうちの１つにより示される。
【０１１１】
選択肢として、いくつかの実施例では、前記時間領域オフセットは、少なくとも１つのシンボル、又は所定数のシンボル、又はタイムスロット、又はミニタイムスロットを単位とする。
【０１１２】
選択肢として、いくつかの実施例では、前記第１時間領域粒度は、少なくとも１つのシンボル、又は所定数のシンボル、又はタイムスロット、又はミニタイムスロットを単位とする。
【０１１３】
以上は、図２-図７を参照しながら、本願の方法実施例を詳細に説明したが、以下は、図８及び図１１を参照しながら、本願の装置実施例を詳細に説明する。理解すべきなのは、装置実施例は方法実施例に相互に対応し、類似する説明は方法実施例を参照できる。
【０１１４】
図８は本願の実施例に係るネットワーク装置の模式的なブロック図である。図８に示すネットワーク装置８００は、
第１設定情報を決定することに用いられ、前記第１設定情報は第１時間領域リソース及び前記第１時間領域リソースに対応する第１時間領域粒度を指示することに用いられ、前記第１時間領域リソース及び前記第１時間領域粒度は端末装置が前記第１時間領域リソースにおいて、前記第１時間領域粒度を周期としてダウンリンク制御チャネルを検索することに用いられる決定モジュール８１０と、
前記端末装置に前記第１設定情報を送信することに用いられる通信モジュール８２０と、を備える。
【０１１５】
選択肢として、いくつかの実施例では、前記通信モジュール８２０は具体的に、
上位層シグナリングを介して前記端末装置に前記第１設定情報を送信することに用いられる。
【０１１６】
選択肢として、いくつかの実施例では、前記通信モジュール８２０はさらに、
前記端末装置に第２設定情報を送信することに用いられ、前記第２設定情報は、前記第１時間領域リソース内の第２時間領域リソース、及び前記第２時間領域リソースに対応する第２時間領域粒度を指示することに用いられ、前記第２時間領域リソース及び前記第２時間領域粒度は、前記端末装置が前記第２時間領域リソースにおいて、前記第２時間領域粒度を周期としてダウンリンク制御チャネルを検索することに用いられる。
【０１１７】
選択肢として、いくつかの実施例では、前記通信モジュール８２０は具体的に、
ダウンリンク制御情報ＤＣＩを介して前記端末装置に前記第２設定情報を送信することに用いられる。
【０１１８】
選択肢として、いくつかの実施例では、前記第１設定情報は、前記第１時間領域リソースの開始位置、終了位置及び時間領域長さのうちの少なくとも１つを含む。
【０１１９】
選択肢として、いくつかの実施例では、前記第１時間領域リソースの開始位置又は終了位置は、
同期信号又はブロードキャストチャネルの時間領域位置、又はタイムスロット境界、又はサブフレーム境界に対する時間領域オフセットのうちの１つにより示される。
【０１２０】
選択肢として、いくつかの実施例では、前記時間領域オフセットは、少なくとも１つのシンボル、又は所定数のシンボル、又はタイムスロット、又はミニタイムスロットを単位とする。
【０１２１】
選択肢として、いくつかの実施例では、前記第１時間領域粒度は、少なくとも１つのシンボル、又は所定数のシンボル、又はタイムスロット、又はミニタイムスロットを単位とする。
【０１２２】
選択肢として、いくつかの実施例では、前記決定モジュール８１０はさらに、
事前定義された第３設定情報に基づいて、第３時間領域リソース及び前記第３時間領域リソースに対応する第３時間領域粒度を決定することに用いられ、
前記通信モジュール８２０はさらに、
前記第３時間領域リソース及び前記第３時間領域粒度に基づいて、ダウンリンク制御チャネルを送信することに用いられる。
【０１２３】
選択肢として、いくつかの実施例では、前記第３設定情報は、
周波数帯、搬送波、システム帯域幅及びベースパラメータセットのうちの少なくとも１つに基づいて決定される。
【０１２４】
具体的には、該ネットワーク装置８００は上記方法２００に説明されたネットワーク装置に対応でき（例えば、上記方法２００に説明されたネットワーク装置に配置され、又はそれ自体が上記方法２００に説明されたネットワーク装置である）、且つ、該ネットワーク装置８００の各モジュール又はユニットはそれぞれ上記方法２００のネットワーク装置が実行する各動作又は処理過程を実行することに用いられ、ここで、繰り返し説明することを回避するために、その詳細な説明を省略する。
【０１２５】
図９は本願の実施例に係る端末装置の模式的なブロック図である。図９に示す端末装置９００は、
ネットワーク装置から送信された第１設定情報を受信することに用いられる通信モジュール９１０と、
前記第１設定情報に基づいて、第１時間領域リソース及び前記第１時間領域リソースに対応する第１時間領域粒度を決定することに用いられる決定モジュール９２０と、を備え、
前記通信モジュール９１０はさらに、前記第１時間領域リソースにおいて、前記第１時間領域粒度を周期としてダウンリンク制御チャネルを検索することに用いられる。
【０１２６】
選択肢として、いくつかの実施例では、前記通信モジュール９１０は具体的に、
前記ネットワーク装置が上位層シグナリングを介して送信した前記第１設定情報を受信することに用いられる。
【０１２７】
選択肢として、いくつかの実施例では、前記通信モジュール９１０はさらに、
前記ネットワーク装置から送信された第２設定情報を受信することに用いられ、
前記決定モジュール９２０はさらに、
前記第２設定情報に基づいて、前記第１時間領域リソース内の第２時間領域リソース、及び前記第２時間領域リソースに対応する第２時間領域粒度を決定することに用いられ、
前記通信モジュール９１０はさらに、
前記第２時間領域リソースにおいて、前記第２時間領域粒度を周期としてダウンリンク制御チャネルを検索することに用いられる。
【０１２８】
選択肢として、いくつかの実施例では、前記通信モジュール９１０はさらに、
前記ネットワーク装置がダウンリンク制御情報ＤＣＩを介して送信した前記第２設定情報を受信することに用いられる。
【０１２９】
選択肢として、いくつかの実施例では、前記決定モジュール９２０はさらに、
前記端末装置がネットワーク装置から送信された設定情報を受信していない場合、事前定義された第３設定情報に基づいて、第３時間領域リソース及び前記第３時間領域リソースに対応する第３時間領域粒度を決定することに用いられ、
前記通信モジュール９１０はさらに、
前記第３時間領域リソースにおいて、前記第３時間領域粒度を周期として、ダウンリンク制御チャネルを検索することに用いられる。
【０１３０】
選択肢として、いくつかの実施例では、前記第３設定情報は、
周波数帯、搬送波、システム帯域幅及びベースパラメータセットのうちの少なくとも１つに基づいて決定される。
【０１３１】
選択肢として、いくつかの実施例では、前記第１時間領域リソースは、
前記第１時間領域リソースの開始位置、終了位置及び時間領域長さのうちの少なくとも１つにより示される。
【０１３２】
選択肢として、いくつかの実施例では、前記第１時間領域リソースの開始位置又は終了位置は、
同期信号又はブロードキャストチャネルの時間領域位置、又はタイムスロット境界、又はサブフレーム境界に対する時間領域オフセットのうちの１つにより示される。
【０１３３】
選択肢として、いくつかの実施例では、前記時間領域オフセットは、少なくとも１つのシンボル、又は所定数のシンボル、又はタイムスロット、又はミニタイムスロットを単位とする。
【０１３４】
選択肢として、いくつかの実施例では、前記第１時間領域粒度は、少なくとも１つのシンボル、又は所定数のシンボル、又はタイムスロット、又はミニタイムスロットを単位とする。
【０１３５】
具体的には、該端末装置９００は上記方法７００に説明された端末装置に対応でき（例えば、上記方法７００に説明された端末装置に配置され、又はそれ自体が上記方法７００に説明された端末装置である）、且つ、該端末装置９００の各モジュール又はユニットはそれぞれ上記方法７００の端末装置が実行する各動作又は処理過程を実行することに用いられ、ここで、繰り返し説明することを回避するために、その詳細な説明を省略する。
【０１３６】
図１０に示すように、本願の実施例はさらにネットワーク装置１０００を提供し、前記ネットワーク装置１０００は図８のネットワーク装置８００であってもよく、図２の方法２００に対応するネットワーク装置の内容を実行することができる。前記ネットワーク装置１０００は、入力インタフェース１０１０、出力インタフェース１０２０、プロセッサ１０３０及びメモリ１０４０を備え、前記入力インタフェース１０１０、出力インタフェース１０２０、プロセッサ１０３０及びメモリ１０４０はバスシステムを介して接続されてもよい。前記メモリ１０４０は、プログラム、命令又はコードを記憶することに用いられる。前記プロセッサ１０３０は、前記メモリ１０４０内のプログラム、命令又はコードを実行して、入力インタフェース１０１０が信号を受信するのを制御し、出力インタフェース１０２０が信号を送信するのを制御し、及び前述方法実施例の操作を行うことに用いられる。
【０１３７】
理解すべきなのは、本願の実施例では、前記プロセッサ１０３０は中央処理装置（Ｃｅｎｔｒａｌ  Ｐｒｏｃｅｓｓｉｎｇ  Ｕｎｉｔ、「ＣＰＵ」と略称）であってもよく、前記プロセッサ１０３０はさらに他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、離散ゲート又はトランジスタロジックデバイス、個別ハードウェア部品等であってもよい。汎用プロセッサはマイクロプロセッサーであってもよく、又は前記プロセッサはいずれかの通常のプロセッサ等であってもよい。
【０１３８】
前記メモリ１０４０は読み出し専用メモリ及びランダムアクセスメモリを備えてもよく、プロセッサ１０３０に命令及びデータを提供する。メモリ１０４０の一部は、不揮発性ランダムアクセスメモリをさらに備えてもよい。例えば、メモリ１０４０はさらに装置タイプの情報を記憶してもよい。
【０１３９】
実現過程で、上記方法の各内容はプロセッサ１０３０内のハードウェアの集積論理回路又はソフトウェア形態の命令によって行うことができる。本願の実施例に開示されている方法の内容は、ハードウェアプロセッサによって直接実行されてもよく、又はプロセッサ内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。前記記憶媒体はメモリ１０４０にあり、プロセッサ１０３０はメモリ１０４０内の情報を読み取り、そのハードウェアと組み合わせて上記方法の内容を行う。重複を回避するために、ここで詳細に説明しない。
【０１４０】
１つの具体的な実施形態では、図８のネットワーク装置８００に備えられる決定モジュール８１０は図１０のプロセッサ１０３０により実現することができ、ネットワーク装置８００に備えられる通信モジュール８２０は図１０の入力インタフェース１０１０及び出力インタフェース１０２０により実現することができる。
【０１４１】
図１１に示すように、本願の実施例はさらに端末装置１１００を提供し、前記端末装置１１００は図９の端末装置９００であってもよく、図７の方法７００に対応する端末装置の内容を実行することができる。前記端末装置１１００は、入力インタフェース１１１０、出力インタフェース１１２０、プロセッサ１１３０及びメモリ１１４０を備え、前記入力インタフェース１１１０、出力インタフェース１１２０、プロセッサ１１３０及びメモリ１１４０はバスシステムを介して接続されてもよい。前記メモリ１１４０はプログラム、命令又はコードを記憶することに用いられる。前記プロセッサ１１３０は、前記メモリ１１４０内のプログラム、命令又はコードを実行して、入力インタフェース１１１０が信号を受信するのを制御し、出力インタフェース１１２０が信号を送信するのを制御し、そして前述方法実施例の操作を行うことに用いられる。
【０１４２】
理解すべきなのは、本願の実施例では、前記プロセッサ１１３０は中央処理装置（Ｃｅｎｔｒａｌ  Ｐｒｏｃｅｓｓｉｎｇ  Ｕｎｉｔ、「ＣＰＵ」と略称）であってもよく、前記プロセッサ１１３０はさらに他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、離散ゲート又はトランジスタロジックデバイス、個別ハードウェア部品等であってもよい。汎用プロセッサはマイクロプロセッサーであってもよく、又は前記プロセッサはいずれかの通常のプロセッサ等であってもよい。
【０１４３】
前記メモリ１１４０は読み出し専用メモリ及びランダムアクセスメモリを備えてもよく、プロセッサ１１３０に命令及びデータを提供する。メモリ１１４０の一部は、不揮発性ランダムアクセスメモリをさらに備えてもよい。例えば、メモリ１１４０はさらに装置タイプの情報を記憶してもよい。
【０１４４】
実現過程で、上記方法の各内容はプロセッサ１１３０内のハードウェアの集積論理回路又はソフトウェア形態の命令によって行うことができる。本願の実施例に開示されている方法の内容は、ハードウェアプロセッサによって直接実行されてもよく、又はプロセッサ内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。前記記憶媒体はメモリ１１４０にあり、プロセッサ１１３０はメモリ１１４０内の情報を読み取り、そのハードウェアと組み合わせて上記方法の内容を行う。重複を回避するために、ここで詳細に説明しない。
【０１４５】
１つの具体的な実施形態では、図９の端末装置９００に備えられる決定モジュール９２０は図１１のプロセッサ１１３０により実現することができ、端末装置９００に備えられる通信モジュール９１０は図１１の入力インタフェース１１１０及び出力インタフェース１１２０により実現することができる。
【０１４６】
本願の実施例はさらにコンピュータ可読記憶媒体を提供し、該コンピュータ可読記憶媒体は１つ又は複数のプログラムを記憶し、該１つ又は複数のプログラムは命令を含み、該命令は複数のアプリケーションプログラムを含むポータブル電子機器により実行されるとき、該ポータブル電子機器に図２又は図７に示される実施例の方法を実行させる。
【０１４７】
本願の実施例はさらにコンピュータプログラムを提供し、該コンピュータプログラムは命令を含み、該コンピュータプログラムがコンピュータにより実行されるとき、該命令はコンピュータに図２又は図７に示される実施例の方法の対応するプロセスを実行させる。
【０１４８】
当業者であれば、本明細書に開示されている実施例に説明された各例示的なユニット及びアルゴリズムステップは、電子ハードウェア、又はコンピュータソフトウェアと電子ハードウェアとの組み合わせで実現できることを理解できる。これらの機能がハードウェアそれともソフトウェア形態で実行されるかは、技術案の特定応用及び設計制約条件に決められる。当業者は各特定の応用に対して異なる方法で説明された機能を実現することができ、この実現は本願の範囲を超えると見なされるべきではない。
【０１４９】
当業者は、説明の便宜及び簡潔さのために、上記説明されたシステム、装置及びユニットの具体的な作動過程は、前述の方法実施例の対応する過程を参照することができ、ここで繰り返し説明しないことを明確に理解できる。
【０１５０】
本願のいくつかの実施例では、開示されたシステム、装置及び方法は、他の方式で実現できることを理解されるべきである。例えば、上記説明された装置実施例は例示的なものに過ぎず、例えば、前記ユニットの分割は、ロジック機能の分割だけであり、実際の実現時に別の分割方法を有することができ、例えば、複数のユニット又は構成要素を組み合わせてもよく、又は別のシステムに集積してもよく、又は一部の特徴を無視してもよく、又は実行しなくてもよい。また、表示又は検討される相互結合又は直接結合又は通信接続は、あるインタフェース、装置又はユニットを介した間接結合又は通信接続であってもよく、電気的、機械的又は他の形態のものであってもよい。
【０１５１】
前記分離部材として説明されたユニットは、物理的に分離されてもよく、物理的に分離されなくてもよく、ユニットとして示される部材は、物理ユニットであってもよく、物理ユニットでなくてもよく、即ち、１つの場所に位置してもよく、又は複数のネットワークユニットに分布してもよい。実際の需要に応じてそのうちの一部又は全部ユニットを選択して本実施例の技術案の目的を実現してもよい。
【０１５２】
また、本願の各実施例における各機能ユニットは１つの処理ユニットに集積されてもよく、各ユニットは単独で物理的に存在してもよく、２つ又は２つ以上のユニットが１つのユニットに集積されてもよい。
【０１５３】
前記機能は、ソフトウェア機能ユニットの形態で実現され、独立した製品として販売又は使用される場合、コンピュータ可読記憶媒体に記憶されることができる。このような理解に基づき、本願技術案の本質的部分又は従来技術に寄与する部分、又は前記技術案の部分は、ソフトウェア製品の形態で具現することができ、前記コンピュータソフトウェア製品は１つの記憶媒体に記憶され、コンピュータ装置（パーソナルコンピュータ、サーバ、又はネットワーク装置等）に本願の各実施例に記載の方法の全部又は一部のステップを実行させるための複数の命令を含む。前述の記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶できる様々な媒体を含む。
【０１５４】
以上は、本願の具体的な実施形態に過ぎず、本願の保護範囲はそれには限らない。当業者は本願に開示された技術範囲内において、変化や置換は本願の保護範囲内に含まれる。従って、本願の保護範囲は特許請求の範囲に記載の範囲を基準とすべきである。
【図１】
0006972172.tif 000002
【図２】
0006972172.tif 000003
【図３】
0006972172.tif 000004
【図４】
0006972172.tif 000005
【図５】
0006972172.tif 000006
【図６】
0006972172.tif 000007
【図７】
0006972172.tif 000008
【図８】
0006972172.tif 000009
【図９】
0006972172.tif 000010
【図１０】
0006972172.tif 000011
【図１１】
0006972172.tif 000012